(57)【特許請求の範囲】
【請求項１】
複数の受信帯域の中からの１つの受信帯域にアンテナをチューニングするように構成された１つのアンテナ・チューニング・ネットワークと、
前記アンテナ・チューニング・ネットワークに動作可能に結合され、かつ１つの送信帯域における信号成分を減衰させるように構成された１つのチューナブル・ノッチフィルタと、
複数の低雑音増幅器（ＬＮＡ）と、なお、前記複数のＬＮＡのうちの各ＬＮＡは、前記チューナブル・ノッチフィルタに選択的に結合するように構成され、かつ前記チューナブル・ノッチフィルタからの出力信号を増幅するように構成される、
を備え、
前記チューナブル・ノッチフィルタおよびＬＮＡの適切なペアは、オペレーションの周波数帯域に基づいて、前記チューナブル・ノッチフィルタと前記複数のＬＮＡとの間に結合されたスイッチマトリクスによって、選択される、
装置。
【請求項２】
前記複数のＬＮＡのうちの少なくとも１つのＬＮＡは、所定の周波数より上の高い周波数帯域のための第１のＬＮＡおよび前記所定の周波数より下の低い周波数帯域のための第２のＬＮＡを備える、請求項１に記載の装置。
【請求項３】
前記複数のＬＮＡのうちの各ＬＮＡは、前記複数の受信帯域のうちの少なくとも１つを支援する、請求項１に記載の装置。
【請求項４】
前記チューナブル・ノッチフィルタと前記複数のＬＮＡとに動作可能に結合され、かつ前記チューナブル・ノッチフィルタからの前記出力信号を前記複数のＬＮＡの中から選択されたＬＮＡにルーティングするように構成された第１のスイッチマトリクスと、
前記複数のＬＮＡに動作可能に結合され、かつ前記選択されたＬＮＡからの増幅された信号を供給するように構成された第２のスイッチマトリクスと
をさらに備える、請求項３に記載の装置。
【請求項５】
前記チューナブル・ノッチフィルタは、前記複数の受信帯域に関連づけられた複数の送信帯域のうちの１つにチューニングすることが可能である、請求項１に記載の装置。
【請求項６】
前記アンテナ・チューニング・ネットワークは、
前記アンテナ・チューニング・ネットワークの入力と出力との間に結合されたインダクタと、
前記インダクタに結合された少なくとも１つの可変キャパシタと
を備え、
各可変キャパシタは、前記アンテナ・チューニング・ネットワークの前記入力または前記出力に結合されている、請求項１に記載の装置。
【請求項７】
前記チューナブル・ノッチフィルタは、
前記チューナブル・ノッチフィルタの入力と出力との間に結合されたインダクタと、
前記チューナブル・ノッチフィルタの前記入力と前記出力との間に直列に結合された複数のキャパシタと
を備え、
前記複数のキャパシタは、少なくとも１つの可変キャパシタを備える、請求項１に記載の装置。
【請求項８】
前記複数のキャパシタは、直列に結合された２つの可変キャパシタを備え、
前記チューナブル・ノッチフィルタは、前記２つの可変キャパシタと回路接地とに結合された抵抗器をさらに備える、請求項７に記載の装置。
【請求項９】
前記チューナブル・ノッチフィルタは、
前記チューナブル・ノッチフィルタの入力と出力とに結合されたインダクタと、
前記インダクタと並列に結合された可変キャパシタと
を備える、請求項１に記載の装置。
【請求項１０】
前記チューナブル・ノッチフィルタは、
前記チューナブル・ノッチフィルタの入力と出力とに結合され、かつ直列に結合された可変キャパシタおよびインダクタ
を備える、請求項１に記載の装置。
【請求項１１】
前記少なくとも１つのＬＮＡに動作可能に結合され、かつ前記送信帯域における前記信号成分をさらに減衰させるように構成された第２のチューナブル・ノッチフィルタ
をさらに備える、請求項１に記載の装置。
【請求項１２】
前記チューナブル・ノッチフィルタは、第１の回路トポロジでインプリメントされ、前記第２のチューナブル・ノッチフィルタは、前記第１の回路トポロジとは異なる第２の回路トポロジでインプリメントされる、請求項１１に記載の装置。
【請求項１３】
前記第２のチューナブル・ノッチフィルタは、前記少なくとも１つのＬＮＡの中からのＬＮＡの一部である、請求項１１に記載の装置。
【請求項１４】
前記送信帯域における前記信号成分をさらに減衰させるように構成された少なくとも１つの追加のチューナブル・ノッチフィルタ
をさらに備える、請求項１１に記載の装置。
【請求項１５】
プライマリ・アンテナとダイバーシチ・アンテナとを含む複数のアンテナをさらに備え、前記アンテナは、前記ダイバーシチ・アンテナに対応する、請求項１に記載の装置。
【請求項１６】
前記装置は、集積回路を備える、請求項１に記載の装置。
【請求項１７】
１つのアンテナ・チューニング・ネットワークを用いて、複数の受信帯域の中からの１つの受信帯域にアンテナをチューニングすることと、
１つの送信帯域における信号成分を減衰させるために、１つのチューナブル・ノッチフィルタを用いて、前記アンテナ・チューニング・ネットワークからの受信された信号をフィルタすることと、
切替可能に選択可能な複数の低雑音増幅器（ＬＮＡ）のうちの１つのＬＮＡを用いて、前記チューナブル・ノッチフィルタからの出力信号を増幅することと
を備え、
前記チューナブル・ノッチフィルタおよびＬＮＡの適切なペアは、オペレーションの周波数帯域に基づいて、前記チューナブル・ノッチフィルタと前記切替可能に選択可能な複数のＬＮＡとの間に結合されたスイッチマトリクスによって、選択される、
方法。
【請求項１８】
前記複数の受信帯域に関連づけられた複数の送信帯域における前記送信帯域に前記チューナブル・ノッチフィルタをチューニングすること
をさらに備える、請求項１７に記載の方法。
【請求項１９】
少なくとも１つの前記ＬＮＡは、複数のＬＮＡを備え、前記方法は、
第１のスイッチマトリクスを介して、前記チューナブル・ノッチフィルタからの前記出力信号を、前記複数のＬＮＡの中から選択されたＬＮＡにルーティングすることと、
第２のスイッチマトリクスを介して、前記選択されたＬＮＡからの増幅された信号を供給することと
をさらに備える、請求項１７に記載の方法。
【請求項２０】
少なくとも１つの追加のチューナブル・ノッチフィルタを用いて、前記送信帯域における前記信号成分を減衰させること
をさらに備える、請求項１７に記載の方法。
【請求項２１】
複数の受信帯域の中からの１つの受信帯域にアンテナをチューニングするための手段と、
１つの送信帯域における信号成分を減衰させるために、前記アンテナをチューニングするための前記手段からの受信された信号をフィルタするための手段と、
前記フィルタするための手段からの出力信号を、切替可能に選択可能な複数の増幅経路のうちの１つで増幅するための手段と
を備え、
前記フィルタするための手段および増幅経路の適切なペアは、オペレーションの周波数帯域に基づいて、前記フィルタするための手段と前記切替可能に選択可能な複数の増幅経路との間に結合されたスイッチマトリクスによって、選択される、
装置。
【請求項２２】
前記複数の受信帯域に関連づけられた複数の送信帯域における前記送信帯域に前記フィルタするための手段をチューニングするための手段
をさらに備える、請求項２１に記載の装置。
【請求項２３】
前記フィルタするための手段からの前記出力信号を、複数の増幅するための手段の中からの前記増幅するための手段にルーティングするための手段
をさらに備える、請求項２１に記載の装置。
【請求項２４】
前記送信帯域における前記信号成分をさらに減衰させるための手段
をさらに備える、請求項２１に記載の装置。
【発明の詳細な説明】
【技術分野】
【０００１】
[0001]  本開示は、一般に、エレクトロニクスに関し、より具体的には、受信機に関する。
【背景技術】
【０００２】
[0002]  ワイヤレス通信デバイス（例えば、セルラ電話）は、双方向の通信を支援するために、プライマリ・アンテナに結合された送信機と受信機を含みうる。データ送信のために、送信機は、変調された信号を取得するために、データを用いて無線周波数（ＲＦ）キャリア信号を変調し、適切な信号レベルを有する送信（ＴＸ）信号を取得するために変調された信号を増幅し、プライマリ・アンテナを介して基地局にＴＸ信号を送信しうる。データ受信のために、受信機は、プライマリ・アンテナを介して受信（ＲＸ）信号を取得し、基地局によって送られたデータを回復するためにＲＸ信号を調整および処理しうる。
【０００３】
[0003]  ワイヤレスデバイスは、ダイバーシチ／セカンダリ・アンテナに結合されたダイバーシチ（ＤＲＸ）受信機を含みうる。ダイバーシチ受信機は、ダイバーシチ・アンテナを介してセカンダリＲＸ信号を取得し、基地局によって送られたデータを回復するために、このセカンダリＲＸ信号を調整および処理しうる。ダイバーシチ受信機は、マルチパスとフェージングの緩和を支援し、また、同じ周波数上の他のシステムからの干渉を無効にする（cancel）ことを支援しうる。ダイバーシチ受信機は、ダウンロードの速度および電力（download speed and power）を増大させることによって、エンドユーザの体験を改善し、また、その他の利点を提供しうる。
【０００４】
[0004]  ワイヤレスデバイスは、異なるワイヤレスシステムと通信することが可能でありうる、および／または、複数の周波数帯域上のオペレーションを支援しうる。これらの機能は、ワイヤレスデバイスがより多くのシステムから通信サービスを受信し、より広いカバレッジを享受（enjoy）することを可能にする。ワイヤレスデバイスは、受信機によって支援される全ての周波数帯域およびシステムのために、受信機における多数の受信経路（a number of receive paths）を有しうる。各受信経路は、ＲＸフィルタ、低雑音増幅器（ＬＮＡ）等のような回路ブロックのセットを含みうる。各受信経路のための回路ブロックは、その受信経路によって支援される１つまたは複数のシステムおよび／または１つまたは複数の周波数帯域のために特に設計されうる。ワイヤレスデバイスは、複数の周波数帯域および／または複数のシステムを支援するために、多くの受信経路および多くの回路ブロックを有しうる。これらの多くの受信経路は、ワイヤレスデバイスの複雑さ、サイズ、費用、および電力消費を増大させ、これらすべては、望ましくない場合がある。
【図面の簡単な説明】
【０００５】
【図１】図１は、複数のワイヤレスシステムと通信するワイヤレスデバイスを示す。
【図２】図２は、各アンテナのための複数の受信経路を有するワイヤレスデバイスを示す。
【図３】図３は、チューナブル・マルチバンド受信機（tunable multi-band receiver）を有するワイヤレスデバイスを示す。
【図４Ａ】図４Ａは、チューナブル・マルチバンド受信機の２つの典型的な設計のうちの１つを示す。
【図４Ｂ】図４Ｂは、チューナブル・マルチバンド受信機の２つの典型的な設計のうちの１つを示す。
【図５】図５は、アンテナ・チューニング・ネットワークの典型的な設計を示す。
【図６Ａ】図６Ａは、チューナブル・ノッチフィルタ（tunable notch filter）の４つの典型的な設計のうちの１つを示す。
【図６Ｂ】図６Ｂは、チューナブル・ノッチフィルタの４つの典型的な設計のうちの１つを示す。
【図６Ｃ】図６Ｃは、チューナブル・ノッチフィルタの４つの典型的な設計のうちの１つを示す。
【図６Ｄ】図６Ｄは、チューナブル・ノッチフィルタの４つの典型的な設計のうちの１つを示す。
【図７Ａ】図７Ａは、図６Ａにおけるチューナブル・ノッチフィルタのパフォーマンスのプロットを示す。
【図７Ｂ】図７Ｂは、図６Ｂにおけるチューナブル・ノッチフィルタのパフォーマンスのプロットを示す。
【図８】図８は、チューナブル・マルチバンド受信機の典型的な設計を示す。
【図９Ａ】図９Ａは、ＭＥＭＳバラクター（a MEMS varactor）の典型的な設計を示す。
【図９Ｂ】図９Ｂは、ＭＥＭＳバラクタの典型的な設計を示す。
【図１０】図１０は、ＲＸ信号を受信および処理するためのプロセスを示す。
【詳細な説明】
【０００６】
[0015]  以下に記載される詳細な説明は、本開示の典型的な設計の説明として意図され、本開示が実現されうる唯一の設計を表すようには意図されない。「典型的（exemplary）」という用語は、本明細書で「例、実例、または例示を提供する（serving as an example, instance, or illustration）」という意味で用いられる。本明細書で「典型的」であると説明される任意の設計は、他の設計に対して、必ずしも好ましいまたは有利であるようには解釈されるとは限らない。詳細な説明は、本開示の典型的な設計の完全な理解を提供することを目的とした特定の詳細を含む。ここで説明される典型的な設計は、これらの特定の詳細なしで実現されうることが当業者に明らかになるであろう。いくつかの事例では、周知の構造およびデバイスが、ここに示される典型的な設計の新規性を曖昧にすることを避けるために、ブロック図形式で示される。
【０００７】
[0016]  任意のアンテナ（例えば、ダイバーシチ・アンテナ）のために使用されうるチューナブル・マルチバンド受信機が、ここで説明される。これらの受信機は、ワイヤレス通信デバイス、セルラ電話、携帯情報端末（ＰＤＡ）、ハンドヘルドデバイス、ワイヤレスモデム、スマートフォン、ラップトップコンピュータ、スマートブック、ネットブック、タブレット、コードレスフォン、ワイヤレス・ローカル・ループ（ＷＬＬ)局、ＢＬＵＥＴＯＯＴＨ（登録商標）デバイス、家庭用電化製品、ブロードキャスト受信機等のような、様々な電子デバイスのために使用されうる。明確さのために、ワイヤレス通信デバイスのためのチューナブル・マルチバンド受信機の使用が以下に説明される。
【０００８】
[0017]  図１は、複数のワイヤレス通信システム１２０および１２２と通信することが可能なワイヤレス通信デバイス１１０を示す。ワイヤレスシステム１２０は、符号分割多元接続（ＣＤＭＡ）システムであることができ、これは、広帯域ＣＤＭＡ（ＷＣＤＭＡ（登録商標））、ｃｄｍａ２０００、または何らかの他のバージョンのＣＤＭＡをインプリメント（implement）することができる。ワイヤレスシステム１２２は、グローバル移動体通信（ＧＳＭ（登録商標））システム、ロングタームエボリューション（ＬＴＥ）システム、ワイヤレスローカルエリアネットワーク（ＷＬＡＮ）システム等でありうる。簡潔さのために、図１は、１つの基地局１３０と１つのモバイル交換センタ（ＭＳＣ）１４０とを含むワイヤレスシステム１２０と、１つの基地局１３２と１つの無線ネットワーク・コントローラ（ＲＮＣ）とを含むシステム１２２とを示す。一般に、各システムは、任意の数の基地局および任意のセットのネットワーク・エンティティを含みうる。
【０００９】
[0018]  ワイヤレスデバイス１１０はまた、ユーザ機器（ＵＥ）、移動局、端末、アクセス端末、加入者ユニット、局等として称されうる。ワイヤレスデバイス１１０は、任意の数のアンテナを装備しうる。典型的な設計では、ワイヤレスデバイス１１０は、プライマリ・アンテナとダイバーシチ／セカンダリ・アンテナとの２つのアンテナを含む。複数のアンテナは、フェージング、マルチパス、干渉等のような有害な経路影響に対してダイバーシチを提供するために使用されうる。複数のアンテナはまた、データレートを改善しおよび／またはその他の利益を得るために、多入力多出力（ＭＩＭＯ）送信を支援するために使用されうる。ワイヤレスデバイス１１０は、ワイヤレスシステム１２０および／または１２２と通信することが可能でありうる。ワイヤレスデバイス１１０はまた、ブロードキャスト局（例えば、ブロードキャスト局１３４）から信号を受信することが可能でありうる。ワイヤレスデバイス１１０はまた、１つまたは複数の全地球航法衛星システム（ＧＮＳＳ）における衛星（例えば、衛星１５０）から信号を受信することが可能でありうる。
【００１０】
[0019]  一般に、ワイヤレスデバイス１１０は、任意の数のワイヤレスシステムとの通信を支援することができ、それは、ＷＣＤＭＡ、ｃｄｍａ２０００、ＧＳＭ、ＬＴＥ、ＧＰＳ等のような任意の無線技術を用いることができる。ワイヤレスデバイス１１０はまた、任意の数の周波数帯域上のオペレーションを支援しうる。
【００１１】
[0020]  図２は、各アンテナのための複数の受信経路を有するワイヤレスデバイス１１０ａのブロック図を示す。ワイヤレスデバイス１１０ａは、図１のワイヤレスデバイス１１０の典型的な設計である。ワイヤレスデバイス１１０ａは、プライマリ・セクション２２０に結合されたプライマリ・アンテナ２１０およびダイバーシチ・セクション２２２に結合されたダイバーシチ・アンテナ２１２を含む。簡潔さのために、図２は、１つまたは複数の周波数帯域上のデータ送信を支援する送信（ＴＸ）モジュール２３０と、複数（Ｋ個）の周波数帯域上のデータ受信を支援する受信（ＲＸ）モジュール２４０とを含むプライマリ・セクション２２０を示し、ここで、Ｋは任意の整数値でありうる。ダイバーシチ・セクション２２２は、複数（Ｋ個）の周波数帯域上のデータ受信を支援するＲＸモジュール２５０を含む。一般に、ＲＸモジュール２４０および２５０は、（以下の多くの説明で仮定されるような、）同じセットの周波数帯域または異なるセットの周波数帯域を支援しうる。
【００１２】
[0021]  プライマリ・セクション２２０内で、スイッチプレクサ／デュプレクサ（a switchplexer/duplexer）２２４は、（ｉ）ＴＸモジュール２３０またはＲＸモジュール２４０のいずれかをプライマリ・アンテナ２１０に結合する、および（ｉｉ）データ受信中に、ＲＸモジュール２４０内の適切な受信経路をプライマリ・アンテナ２１０に結合する、ためにスイッチングおよび／またはルーティングを実行する。スイッチプレクサ／デュプレクサ２２４は、プライマリ・アンテナ２１０に結合されたアンテナ・ポート、および、ＴＸモジュール２３０内の送信経路と、ＲＸモジュール２４０内のＫ個の受信経路とに結合された入力／出力（Ｉ／Ｏ）ポートを有する。スイッチプレクサ２２４は、アンテナ・ポートを、任意の所与の時点において（at any given moment）、Ｉ／Ｏポートのうちの１つに結合する。
【００１３】
[0022]  ＴＸモジュール２３０は、１つの送信経路のためのＴＸフィルタ２３２および電力増幅器（ＰＡ）２３４を含む。ＲＦバックエンド２７０からの出力ＲＦ信号は、ＴＸ信号を取得するために、ＴＸフィルタ２３２によりフィルタされ、電力増幅器２３４によって増幅され、それは、スイッチプレクサ／デュプレクサ２２４を通してルーティングされて、プライマリ・アンテナ２１０を介して送信される。ＴＸモジュール２３０はまた、１つまたは複数の追加の送信経路を含みうる。
【００１４】
[0023]  ＲＸモジュール２４０は、Ｋ個の受信経路を含み、それらは、異なる周波数帯域および／または異なるワイヤレスシステムを支援しうる。例えば、１つの受信経路は、対象の（of interest）各周波数帯域のために使用されうる。各受信経路は、ＬＮＡ ２４４に結合されたＲＸフィルタ２４２を含む。Ｋ個の受信経路のためのＲＸフィルタ２４２ａ乃至２４２ｋは、異なる周波数帯域のためのそれらのＲＸ信号をフィルタして、それぞれＬＮＡ ２４４ａ乃至２４４ｋへフィルタされた信号を供給しうる。ＬＮＡ ２４４ａ乃至２４４ｋは、それらのフィルタされた信号を増幅して、ＲＦバックエンド２７０へ入力ＲＦ信号を供給しうる。スイッチプレクサ／デュプレクサ２２４は、プライマリ・セクション２２０のためのオペレーションの周波数帯域を選択して、プライマリ・アンテナ２１０からのＲＸ信号を選択された周波数帯域のための受信経路に結合する。
【００１５】
[0024]  ダイバーシチ・セクション２２２内で、スイッチプレクサ２２６は、ダイバーシチ・アンテナ２１２に結合されたアンテナ・ポート、および、ＲＸモジュール２５０内のＫ個の受信経路に結合されたＫ個のＩ／Ｏポートを有する。Ｋ個の受信経路は、異なる周波数帯域および／または異なるワイヤレスシステムを支援しうる。各受信経路は、ＬＮＡ ２５４に結合されたＲＸフィルタ２５２を含む。Ｋ個の受信経路のためのＲＸフィルタ２５２ａ乃至２５２ｋは、異なる周波数帯域のためのそれらのＲＸ信号をフィルタし、それぞれＬＮＡ ２５４ａ乃至２５４ｋへフィルタされた信号を供給しうる。ＬＮＡ ２５４ａ乃至２５４ｋは、それらのフィルタされた信号を増幅し、ＲＦバックエンド２７０へ入力ＲＦ信号を供給しうる。スイッチプレクサ２２６は、ダイバーシチ・セクション２２２のためのオペレーションの周波数帯域を選択し、ダイバーシチ・アンテナ２１２からのＲＸ信号を選択された周波数帯域のための受信経路に結合する。
【００１６】
[0025]  ＲＦバックエンド２７０は、ダウンコンバータ、アップコンバータ、増幅器、フィルタ、バッファ等のような、様々な回路ブロックを含みうる。ＲＦバックエンド２７０は、任意のＬＮＡからの入力ＲＦ信号を周波数ダウンコンバート、増幅、およびフィルタして、データ・プロセッサ２８０へ入力ベースバンド信号を供給しうる。ＲＦバックエンド２７０はまた、出力ベースバンド信号を増幅、フィルタ、および周波数アップコンバートして、フィルタ２３２へ出力ＲＦ信号を供給しうる。モジュール２３０、２４０および２５０のすべてまたは一部と、ＲＦバックエンド２７０は、１つまたは複数のアナログ集積回路（ＩＣ）、ＲＦ ＩＣ（ＲＦＩＣ）、混合信号ＩＣ上等でインプリメントされうる。
【００１７】
[0026]  データ・プロセッサ２８０は、ワイヤレスデバイス１１０ａのために様々な機能を、例えば、送信および受信されるデータのための処理を、実行することができる。メモリ２８２は、データ・プロセッサ２８０のためのプログラムコードおよびデータを記憶しうる。データ・プロセッサ２８０は、１つまたは複数の特定用途向け集積回路（ＡＳＩＣ）および／またはその他のＩＣ上でインプリメントされうる。
【００１８】
[0027]  ワイヤレスデバイス１１０ａは、任意の所与の時点において、特定の周波数帯域上で動作しうる。周波数分割複信（ＦＤＤ）のために、特定の周波数帯域は、送信帯域および受信帯域を含みうる。ワイヤレスデバイス１１０ａは、送信帯域上でＴＸ信号を送信すると同時に、受信帯域上で所望の信号を受信することができる。
【００１９】
[0028]  ワイヤレスデバイス１１０ａにおいて、プライマリ・セクション２２０におけるＴＸモジュール２３０からのＴＸ信号の一部は、プライマリ・セクション２２０内のＲＸモジュール２４０に結合され、また、ダイバーシチ・セクション２２２におけるＲＸモジュール２５０にも結合されうる。この結合は、アンテナ２１０と２１２および／またはルーティング・トレース（routing traces）を介しうる。スイッチプレクサ／デュプレクサ２２４から各ＲＸフィルタ２４２へのＲＸ信号は、受信帯域における所望の信号のみならず、送信帯域における漏洩ＴＸ信号（a leaked TX signal）も含みうる。同様に、スイッチプレクサ２２６から各ＲＸフィルタ２５２へのＲＸ信号は、受信帯域における所望の信号のみならず、送信帯域における漏洩ＴＸ信号も含みうる。ＴＸ信号は、特にワイヤレスデバイスが基地局から遠く離れて位置する場合、大きな振幅（a large amplitude）（例えば、ＣＤＭＡについては、＋２３ｄＢｍまたはＧＳＭについては、＋３３ｄＢｍ）を有しうる。したがって、たとえ結合が比較的小さくなりうるとしても、漏洩ＴＸ信号は、ＴＸ信号の大きな振幅のために、所望の信号と比べて大きくなりうる。各受信経路のためのＲＸフィルタ２４２または２５２は、なるべく少ない（as little）漏洩ＴＸ信号がその受信経路におけるＬＮＡ２４４または２５４へ通過し、よいパフォーマンスが得られるように、受信帯域における所望の信号を通過させ、送信帯域における漏洩ＴＸ信号を減衰させうる。
【００２０】
[0029]  一般に、受信機は、任意の数の周波数帯域および任意の数のワイヤレスシステムのための任意の数のＲＸフィルタを含みうる。ＲＸフィルタはまた、フロントエンドＲＦフィルタと称され、典型的に、高品質係数（high quality factor）（Ｑ）フィルタでありうる。例えば、ＲＸフィルタは、典型的にＩＣチップ上には統合できない、表面弾性波（ＳＡＷ：surface acoustic wave）フィルタ、バルク弾性波（ＢＡＷ：bulk acoustic wave)フィルタまたは薄膜圧電共振器（ＦＢＡＲ: thin film bulk acoustic resonator）フィルタでインプリメントされうる。１つのＲＸフィルタおよび１つのＬＮＡは、各周波数帯域のために使用され、特にその周波数帯域のために設計されうる。受信機は、全ての支援された周波数帯域のための多くのＲＸフィルタおよび多くのＬＮＡを含みうる。例えば、受信機は、５つの周波数帯域を支援するために、５つのＳＡＷフィルタおよび５つのＬＮＡを含みうる。複数の周波数帯域を支援するために複数のＲＸフィルタおよび複数のＬＮＡを使用することは、ワイヤレスデバイス１１０ａについての費用、基板面積およびルーティングの複雑さ（routing complexity）を増大させうる。
【００２１】
[0030]  一態様において、チューナブル・マルチバンド受信機は、各周波数帯域のための個別のＲＸフィルタを必要とせずに、複数の周波数帯域を支援するために使用されうる。チューナブル・マルチバンド受信機は、複数の周波数帯域のための単一の受信経路を含むことができ、より小さなサイズ、より低い費用、より良い信頼性等のような、様々な利点を提供することができる。
【００２２】
[0031]  図３は、チューナブル・マルチバンド受信機を備えるワイヤレスデバイス１１０ｂのブロック図を示す。ワイヤレスデバイス１１０ｂは、図１のワイヤレスデバイス１１０の別の典型的な設計である。ワイヤレスデバイス１１０ｂは、プライマリ・セクション３２０に結合されたプライマリ・アンテナ３１０、および、ダイバーシチ・セクション３２２に結合されたダイバーシチ・アンテナ３１２を含む。プライマリ・セクション３２０は、１つまたは複数の周波数帯域上のデータ送信を支援するＴＸモジュール３３０、および、複数の周波数帯域上のデータ受信を支援するチューナブル・マルチバンド受信機３４０を含む。ダイバーシチ・セクション２２２は、複数の周波数帯域上のデータ受信を支援するチューナブル・マルチバンド受信機３５０を含む。ＲＦバックエンド３７０は、チューナブル・マルチバンド受信機３４０または３５０からの入力ＲＦ信号を周波数ダウンコンバート、増幅、およびフィルタし、データ・プロセッサ３８０へ入力ベースバンド信号を供給しうる。ＲＦバックエンド３７０はまた、出力ベースバンド信号を増幅、フィルタ、および周波数アップコンバートし、ＴＸモジュール３３０へ出力ＲＦ信号を供給しうる。ＲＦバックエンド３７０、チューナブル・マルチバンド受信機３４０と３５０、およびＴＸモジュール３３０のすべてまたは一部が、１つまたは複数のアナログＩＣ、ＲＦＩＣ、混合信号ＩＣ上等でインプリメントされうる。データ・プロセッサ３８０は、ワイヤレスデバイス１１０ｂのために様々な機能を実行しうる。メモリ３８２は、データ・プロセッサ３８０のためのプログラムコードおよびデータを記憶しうる。
【００２３】
[0032]  図３は、チューナブル・マルチバンド受信機が、プライマリ・アンテナ３１０およびダイバーシチ・アンテナ３１２の各々のために使用される典型的な設計を示す。別の典型的な設計では、チューナブル・マルチバンド受信機は、プライマリ・アンテナ３１０のみまたはダイバーシチ・アンテナ３１２のみのために使用されうる。一般に、チューナブル・マルチバンド受信機は、ワイヤレスデバイス上で利用可能な各アンテナのために使用されることも使用されないこともありうる。複数の受信経路を有するＲＸモジュール（例えば、図２のＲＸモジュール２４０または２５０）が、各アンテナのために使用されることができ、この場合、チューナブル・マルチバンド受信機は使用されない。
【００２４】
[0033]  図４Ａは、アンテナ４１０に結合されたチューナブル・マルチバンド受信機４００の典型的な設計のブロック図を示す。チューナブル・マルチバンド受信機４００は、図３のチューナブル・マルチバンド受信機３４０のために使用され、また、アンテナ４１０は、プライマリ・アンテナ３１０に対応しうる。あるいはまたはこれに加えて、チューナブル・マルチバンド受信機４００は、図３のチューナブル・マルチバンド受信機３５０のために使用され、また、アンテナ４１０は、ダイバーシチ・アンテナ３１２に対応しうる。
【００２５】
[0034]  図４Ａに示される典型的な設計では、チューナブル・マルチバンド受信機４００は、直列に結合されたアンテナ・チューニング・ネットワーク４２０、チューナブル・ノッチフィルタ４３０、およびＬＮＡ ４４０を含む。アンテナ・チューニング・ネットワーク４２０は、スイッチなどの１つまたは複数の回路を介して、（図４Ａに示されるように）アンテナ４１０に直接的に、またはアンテナ４１０に間接的に結合されうる。アンテナ・チューニング・ネットワーク４２０、チューナブル・ノッチフィルタ４３０およびＬＮＡ ４４０は、複数の周波数帯域のオペレーションを支援しうる。
【００２６】
[0035]  図４Ｂは、アンテナ４１０に結合されたチューナブル・マルチバンド受信機４０２の典型的な設計のブロック図を示す。チューナブル・マルチバンド受信機４０２は、図３のチューナブル・マルチバンド受信機３４０のために使用され、アンテナ４１０は、プライマリ・アンテナ３１０に対応しうる。あるいはまたはこれに加えて、チューナブル・マルチバンド受信機４０２は、図３のチューナブル・マルチバンド受信機３５０のために使用され、アンテナ４１０は、ダイバーシチ・アンテナ３１２に対応しうる。
【００２７】
[0036]  図４Ｂに示される典型的な設計では、チューナブル・マルチバンド受信機４０２は、直列に結合されたアンテナ・チューニング・ネットワーク４２０、チューナブル・ノッチフィルタ４３０、スイッチマトリクス４３２、複数（Ｋ個）のＬＮＡ ４４０ａ乃至４４０ｋおよびスイッチマトリクス４４２を含む。アンテナ・チューニング・ネットワーク４２０は、スイッチなどの１つまたは複数の回路を介して、（図４Ｂに示されるように）アンテナ４１０に直接的に、またはアンテナ４１０に間接的に結合されうる。Ｋ個のＬＮＡ ４４０ａ乃至４４０ｋは、スイッチマトリクス４３２に結合されたそれらの入力と、スイッチマトリクス４４２に結合されたそれらの出力とを有しうる。スイッチマトリクス４４２は、後続の回路（例えば、広帯域ダウンコンバータ）に結合されたそれの出力を有しうる。
【００２８】
[0037]  一般に、チューナブル・マルチバンド受信機は、任意の数の周波数帯域を支援するために、任意の数のＬＮＡを含みうる。各ＬＮＡは、単一の周波数帯域または複数の周波数帯域を支援しうる。ＬＮＡの数は、各ＬＮＡの帯域幅および支援されている周波数帯域に依存しうる。例えば、高い帯域に対して１つのＬＮＡが存在し、低い帯域に対して別のＬＮＡが存在しうる。（例えば、図４Ａに示されるように）ただ１つのＬＮＡが存在する場合には、このＬＮＡは、チューナブル・ノッチフィルタ４３０に結合され、スイッチマトリクスは省略されうる。（例えば、図４Ｂに示されるように）複数のＬＮＡが存在する場合には、１つのＬＮＡ ４４０は、スイッチマトリクス４３２および４４２を介して、任意の所与の時点において、選択されうる。
【００２９】
[0038]  アンテナ４１０は、電気的に小さなアンテナまたは標準のアンテナでありうる。アンテナ４１０が小さなアンテナである場合には、アンテナ４１０はそのサイズの小ささのために、狭帯域を有しうる。アンテナ４１０のサイズにかかわらず、アンテナ・チューニング・ネットワーク４２０は、アンテナ４１０がより広い周波数範囲（例えば、４４０ＭＨｚ〜２．６ＧＨｚ）にわたってチューニングされることを可能にする。アンテナ・チューニング・ネットワーク４２０はまた、ひとたびアンテナ４１０が特定の周波数帯域にチューニングされると、選択度（selectivity）を提供しうる。チューナブル・ノッチフィルタ４３０は、送信機からのなるべく少ないＴＸ信号が、受信機４００または４０２の受信経路に結合されるように、受信帯域における所望の信号成分を通過させ、送信帯域における漏洩ＴＸ信号成分を減衰させる。チューナブル・ノッチフィルタ４３０はまた、ＳｉＰ（システム・イン・パッケージ（system-in-package））設計におけるＳＡＷフィルタと置き換えられることができる。異なる周波数帯域のために設計された複数のＬＮＡが受信機において存在する場合には、スイッチマトリクス４３２は、チューナブル・ノッチフィルタ４３０から出力信号を選択されたＬＮＡに結合し、スイッチマトリクス４４２は、選択されたＬＮＡからの増幅された信号を後続の回路（例えば、ダウンコンバータ）に結合しうる。
【００３０】
[0039]  図４Ａは、１つのアンテナ・チューニング・ネットワークと、１つのチューナブル・ノッチフィルタと、１つのＬＮＡとを有するチューナブル・マルチバンド受信機４００の典型的な設計を示す。図４Ｂは、１つのアンテナ・チューニング・ネットワークと、１つのチューナブル・ノッチフィルタと、複数のＬＮＡとを有するチューナブル・マルチバンド受信機４０２の典型的な設計を示す。別の典型的な設計では、チューナブル・マルチバンド受信機は、アンテナ・チューニング・ネットワークと、それに続くスイッチマトリクスと、それに続く複数のチューナブル・ノッチフィルタと、それに続く複数のＬＮＡと、それに続く別のスイッチマトリクスとを含みうる。各ＬＮＡは、関連するチューナブル・ノッチフィルタの出力に結合されたそれの入力を有しうる。チューナブル・ノッチフィルタおよびＬＮＡの各ペアは、１つまたは複数の周波数帯域をカバーしうる。スイッチマトリクスは、オペレーションの周波数帯域に基づいて、チューナブル・ノッチフィルタおよびＬＮＡの適切なペアを選択しうる。
【００３１】
[0040]  一般に、チューナブル・マルチバンド受信機は、任意の数のアンテナ・チューニング・ネットワーク、任意の数のチューナブル・ノッチフィルタおよび任意の数のＬＮＡを含みうる。これらの回路は、任意の構成で配置されうる。典型的な設計では、（複数を含む）アンテナ・チューニング・ネットワーク、（複数を含む）チューナブル・ノッチフィルタおよび（複数を含む）ＬＮＡは、完全統合型アクティブ受信ダイバーシチ・フロントエンド・モジュール（fullly integrated active receive diversity front−end module）でインプリメントされうる。この典型的な設計は、基板レベルで（at the board level）、ＲＦインターコネクト（RF interconnect）を低減させることができ、また、（複数を含む）ＬＮＡの統合によるアンテナからのインターコネクト損失の影響を低減させる．ことができる。
【００３２】
[0041]  チューナブル・マルチバンド受信機はまた、他の方法でインプリメントされうる。例えば、チューナブル・ノッチフィルタ４３０は、アンテナ・チューニング・ネットワーク４２０と組み合わされうる。別の例として、チューナブル・ノッチフィルタ４３０は、（複数を含む）ＬＮＡ ４４０の前または後に位置しうる。チューナブル・マルチバンド受信機はまた、図４Ａまたは図４Ｂに示されない、異なる回路および／または追加の回路を含みうる。例えば、インピーダンス整合回路は、図４Ａのチューナブル・ノッチフィルタ４３０とＬＮＡ ４４０との間、または、図４Ｂのチューナブル・ノッチフィルタ４３０とスイッチマトリクス４３２との間に結合されうる。
【００３３】
[0042]  図４Ａまたは図４Ｂの回路は、様々な方法でインプリメントされうる。アンテナ・チューニング・ネットワーク４２０およびチューナブル・ノッチフィルタ４３０のいくつかの典型的な設計が以下に説明される。
【００３４】
[0043]  図５は、アンテナ・チューニング・ネットワーク４２０ｘの概略図を示し、これは、図４Ａおよび４Ｂのアンテナ・チューニング・ネットワーク４２０の典型的な設計である。アンテナ・チューニング・ネットワーク４２０ｘは、π−トポロジ（a π-topology）をインプリメントし、インダクタ５１０と、可変キャパシタ５１２および５１４とを含む。インダクタ５１０は、アンテナ・チューニング・ネットワーク４２０ｘの入力と出力との間に結合される。キャパシタ５１２は、アンテナ・チューニング・ネットワーク４２０ｘの入力と回路接地（circuit ground）との間に結合される。キャパシタ５１４は、アンテナ・チューニング・ネットワーク４２０ｘの出力と回路接地との間に結合される。キャパシタ５１２および／または５１４は、アンテナ・チューニング・ネットワーク４２０ｘが結合されるアンテナに関する所望のチューニングを得るために変化させることができる。
【００３５】
[0044]  図５は、π−トポロジをもつアンテナ・チューニング・ネットワーク４２０ｘの典型的な設計を示す。アンテナ・チューニング・ネットワークはまた、他の方法でインプリメントされうる。例えば、１つの典型的な設計では、キャパシタ５１２および５１４のうちの１つは、固定されたキャパシタであり、キャパシタ５１２および５１４のうちのもう１つは、可変キャパシタでありうる。別の典型的な設計では、固定されたキャパシタおよび／または可変キャパシタは、インダクタ５１０と並列に結合されうる。なお別の典型的な設計では、複数のπ−ネットワークは、直列に結合され、各π−ネットワークは、図５に示されるようにインプリメントされうる。その他の典型的な設計では、アンテナ・チューニング・ネットワークは、チューナブル・ノッチフィルタについて以下に説明される任意の典型的な設計でインプリメントされうる。
【００３６】
[0045]  図６Ａは、チューナブル・ノッチフィルタ４３０ｘの概略図を示し、これは、図４Ａおよび図４Ｂのチューナブル・ノッチフィルタ４３０の典型的な設計である。チューナブル・ノッチフィルタ４３０ｘは、ブリッジ−Ｔトポロジ（a bridge-T topology）をインプリメントし、インダクタ６１０と、可変キャパシタ６１２および６１４と、抵抗器６１６とを含む。インダクタ６１０は、チューナブル・ノッチフィルタ４３０ｘの入力と出力との間に結合される。キャパシタ６１２は、チューナブル・ノッチフィルタ４３０ｘの入力と接続点Ａとの間に結合される。キャパシタ６１４は、接続点（node）Ａとチューナブル・ノッチフィルタ４３０ｘの出力との間に結合される。抵抗器６１６は、接続点Ａと回路接地との間に結合される。チューナブル・ノッチフィルタ４３０ｘは、シャントコイル（shunt coil）トポロジと同様であり、抵抗器のチューニングで高いＱを提供し（provide high Q with resistor tuning）うる。チューナブル・ノッチフィルタ４３０ｘは、単純なノッチ回路と比べて、受信帯域におけるより多くの挿入損失（insertion loss）を有しうるが、チューニングでの送信帯域におけるより深いノッチ（a deeper notch in the transmit band with tuning）を有しうる。
【００３７】
[0046]  図７Ａは、図６Ａのチューナブル・ノッチフィルタ４３０ｘのパフォーマンスのプロットを示す。図７Ａにおいて、水平軸は、可変キャパシタ６１２および６１４のキャパシタンスを表し、垂直軸は、デシベル（ｄＢ）の単位で振幅／減衰を表す。プロット７１０は、送信帯域における減衰を示す。図７Ａに示されるように、送信帯域における５０ｄＢより大きい減衰が、チューナブル・ノッチフィルタ４３０ｘにより得られ（obtained with tunable notch filter 430x）うる。
【００３８】
[0047]  図６Ｂは、チューナブル・ノッチフィルタ４３０ｙの概略図を示し、これは、図４Ａおよび図４Ｂのチューナブル・ノッチフィルタ４３０の別の典型的な設計である。チューナブル・ノッチフィルタ４３０ｙは、直列ＬＣトポロジ（series LC topology）をインプリメントし、可変キャパシタ６２２と並列に結合されたインダクタ６２０を含む。インダクタ６２０およびキャパシタ６２２は、チューナブル・ノッチフィルタ４３０ｙの入力に結合された一端と、チューナブル・ノッチフィルタ４３０ｙの出力に結合されたもう一端とを有する。直列ＬＣトポロジについて、インダクタ６２０は、比較的小さい値を有し、これは、低い挿入損失については、２ＧＨｚにおいて、１．５〜２ナノヘンリー（nano-Henries）（ｎＨ）になりうる。キャパシタ６２２は、比較的大きい値を有し、これは、２ＧＨｚにおいて、４〜６ピコファラド（pico-Farads）（ｐＦ）になりうる。キャパシタ６２２のＱは、チューナブル・ノッチフィルタ４３０ｙのパフォーマンスに大きな影響を及ぼしうる。
【００３９】
[0048]  図７Ｂは、図６Ｂのチューナブル・ノッチフィルタ４３０ｙのパフォーマンスのプロットを示す。図７Ｂにおいて、水平軸は、可変キャパシタ６２２のキャパシタンスを表し、垂直軸は、ｄＢの単位で振幅／減衰を表す。プロット７２０は、受信帯域におけるチューナブル・ノッチフィルタ４３０ｙの挿入損失を示す。プロット７２２は、送信帯域における減衰を示す。図７Ｂに示されるように、受信帯域におけるごく少量のｄＢより少ない挿入損失と、送信帯域における約２３ｄＢの減衰が、チューナブル・ノッチフィルタ４３０ｙにより得られうる。
【００４０】
[0049]  図６Ｃは、チューナブル・ノッチフィルタ４３０ｚの概略図を示し、これは、図４Ａおよび図４Ｂのチューナブル・ノッチフィルタ４３０のなお別の典型的な設計である。チューナブル・ノッチフィルタ４３０ｚは、シャントＬＣトポロジ（a shunt LC topology）をインプリメントし、可変キャパシタ６３２と直列に結合されたインダクタ６３０を含む。インダクタ６３０は、回路接地に結合された一端と、キャパシタ６３２の一端に結合されたもう一端とを有する。キャパシタ６３２のもう一端は、チューナブル・ノッチフィルタ４３０ｚの入力および出力に結合される。シャントＬＣトポロジについて、インダクタ６３０は、比較的大きな値を有し、これは、低い挿入損失については、２ＧＨｚにおいて、１２〜１５ｎＨになりうる。キャパシタ６３２は、比較的小さい値を有しうる。
【００４１】
[0050]  図６Ｄは、チューナブル・ノッチフィルタ４３０ｗの概略図を示し、これは、図４Ａおよび図４Ｂのチューナブル・ノッチフィルタ４３０のなお別の典型的な設計である。チューナブル・ノッチフィルタ４３０ｗは、インダクタ６４０と、キャパシタ６４２および６４４とを含み、これらは、図５のインダクタ５１０と、キャパシタ５１２および５１４と同様の方法で結合される。インダクタ６５０と可変キャパシタ６５２は、接続点Ｂと回路接地との間に並列に結合される。キャパシタ６５４は、接続点Ｂとチューナブル・ノッチフィルタ４３０ｗの入力との間に結合される。インダクタ６６０および可変キャパシタ６６２は、接続点Ｄと回路接地との間に並列に結合される。キャパシタ６６４は、接続点Ｄとチューナブル・ノッチフィルタ４３０ｗの出力との間に結合される。
【００４２】
[0051]  図６Ａ〜図６Ｄは、異なる回路トポロジ（circuit topology）を有するチューナブル・ノッチフィルタの４つの典型的な設計を示す。チューナブル・ノッチフィルタはまた、他の方法でインプリメントされうる。１つの典型的な設計では、チューナブル・ノッチフィルタは、例えば、図５に示されるような、π−トポロジでインプリメントされうる。別の典型的な設計では、固定されたキャパシタおよび／または可変キャパシタは、図６Ａのインダクタ６１０と並列に結合されうる。別の典型的な設計では、図６Ａのキャパシタ６１２および６１４のうちの１つは、固定されたキャパシタであり、キャパシタ６１２および６１４のうちのもう１つは、可変キャパシタでありうる。
【００４３】
[0052]  明確さのために、図４Ａおよび図４Ｂは、アンテナ・チューニング・ネットワーク４２０、チューナブル・ノッチフィルタ４３０およびＬＮＡ ４４０についての別個のブロックを示す。一般に、アンテナチューニング、ノッチフィルタリングおよび増幅の機能は、これらの機能を実行する１つまたは複数の回路でインプリメントされうる。
【００４４】
[0053]  図８は、チューナブル・マルチバンド受信機８００の典型的な設計の概略図を示す。受信機８００は、直列に結合されたアンテナ・チューニング・ネットワーク４２０ｘ、チューナブル・ノッチフィルタ４３０ｘおよびＬＮＡ ４４０ｘを含む。アンテナ・チューニング・ネットワーク４２０ｘは、インダクタ５１０と、可変キャパシタ５１２および５１４とを含み、これらは、図５について上記に説明されたように結合される。チューナブル・ノッチフィルタ４３０ｘは、インダクタ６１０と、可変キャパシタ６１２および６１４と、抵抗器６１６とを含み、これらは、図６Ａについて上記に説明されたように結合される。
【００４５】
[0054]  ＬＮＡ ４４０ｘ内では、Ｎ型金属酸化膜半導体（ＮＭＯＳ：N−channel metal oxide semiconductor）トランジスタ８１０は、チューナブル・ノッチフィルタ４３０ｘの出力に結合されたそれのゲートと、インダクタ８１２の一端に結合されたそれのソースと、接続点Ｅに結合されたそれのドレインとを有する。インダクタ８１２のもう一端は、回路接地に結合される。チューナブル・ノッチフィルタ８１８は、ブリッジ−Ｔトポロジをインプリメントし、接続点Ｅと接続点Ｆとの間に結合される。チューナブル・ノッチフィルタ８１８は、インダクタ８２０、可変キャパシタ８２２、固定されたキャパシタ８２４および抵抗器８２６を含み、これらは、図６Ａのインダクタ６１０、キャパシタ６１２と６１４、および抵抗器６１６と同様の方法で結合される。
【００４６】
[0055]  ＮＭＯＳトランジスタ８１４は、バイアス電圧（Ｖｂｉａｓ）を受信するそれのゲートと、接続点Ｆに結合されたそれのソースと、接続点Ｇに結合されたそれのドレインとを有する。チューナブル・ノッチフィルタ８２８は、直列ＬＣトポロジをインプリメントし、接続点Ｇと供給電圧（Ｖｄｄ）との間に結合される。チューナブル・ノッチフィルタ８２８は、インダクタ８３０および可変キャパシタ８３２を含み、これらは、図６Ｂのインダクタ６２０およびキャパシタ６２２と同様の方法で結合される。チューナブル・ノッチフィルタ８３８は、シャントＬＣトポロジをインプリメントし、接続点Ｇに結合された一端と、出力信号を供給するもう一端とを有する。チューナブル・ノッチフィルタ８３８は、インダクタ８４０および可変キャパシタ８４２を含み、これらは、チューナブル・ノッチフィルタ８３８の入力と出力との間に直列に結合される。
【００４７】
[0056]  図８は、ＮＭＯＳトランジスタでインプリメントされるＬＮＡ ４４０ｘの典型的な設計を示す。ＬＮＡはまた、Ｐ型ＭＯＳ（ＰＭＯＳ）トランジスタ、バイポーラ接合トランジスタ（ＢＪＴ）等のような、他のタイプのトランジスタでインプリメントされうる。
【００４８】
[0057]  図８は、１つのアンテナ・チューニング・ネットワーク４２０ｘと、４つのチューナブル・ノッチフィルタ４３０ｘ、８１８、８２８および８３８とを備える典型的な設計を示す。一般に、チューナブル・マルチバンド受信機は、任意の数のアンテナ・チューニング・ネットワークおよび任意の数のチューナブル・ノッチフィルタを含みうる。より多くのアンテナ・チューニング・ネットワークおよび／またはより多くのチューニングエレメントは、（ｉ）おそらくより高い挿入損失でより広い帯域幅をカバーすることを支援し、（ｉｉ）より広い周波数範囲をカバーするために、および／または、より良い選択性（selectivity）を提供するために、アンテナのより良いチューニングを可能にし、（ｉｉｉ）より進んだ減衰（more far out attenuation）を提供するために、周波数応答のより良いシェーピング（shaping）を可能にしうる。より多くのチューナブル・ノッチフィルタは、より広い周波数範囲にわたる、ノッチのより良いチューニングを可能にし、および／または、そのノッチにおいてより多くの減衰を提供しうる。各アンテナ・チューニング・ネットワークは、任意の回路トポロジでインプリメントされることができ、任意の数のチューナブル回路エレメントを含むことができる。同様に、各チューナブル・ノッチフィルタは、任意の回路トポロジでインプリメントされることができ、任意の数のチューナブル回路エレメントを含むことができる。１つまたは複数のアンテナ・チューニング・ネットワークおよび１つまたは複数のチューナブル・ノッチフィルタは、様々な方法で結合され、例えば、図８のアンテナ・チューニング・ネットワーク４２０ｘおよびチューナブル・ノッチフィルタ４３０ｘによって示されるように、互いに直接的に、またはトランジスタのようなアクティブ回路を介して間接的に結合されうる。
【００４９】
[0058]  アンテナ・チューニング・ネットワークは、例えば、図５に示されるように、１つまたは複数の可変キャパシタを含みうる。チューナブル・ノッチフィルタはまた、例えば、図６Ａ〜図６Ｄに示されるように、１つまたは複数の可変キャパシタを含みうる。可変キャパシタは、様々な方法でインプリメントされうる。１つの典型的な設計では、可変キャパシタは、アナログ制御電圧で変えられることができるキャパシタンスを有する連続的可変キャパシタ（a continuously variable capacitor）（またはバラクタ（varactor））でインプリメントされうる。別の典型的な設計では、可変キャパシタは、デジタル制御信号で個別の単位において変えられることができるキャパシタンスを有するデジタル方式可変キャパシタ（a digitally variable capacitor）でインプリメントされうる。なお別の典型的な設計では、可変キャパシタは、微小電気機械システム（a micro-electro-mechanical system）（ＭＥＭＳ）デバイスでインプリメントされうる。
【００５０】
[0059]  図９Ａは、ＭＥＭＳバラクタ９００の典型的な設計の上面図を示す。図９Ｂは、図９ＡのＭＥＭＳバラクタ９００の断面図を示す。図９Ｂの断面図は、図９Ａの線Ａ−Ａ’に沿ってとらえたものである（taken）。ＭＥＭＳバラクタ９００は、図５〜図６Ｄの任意の可変キャパシタのために使用されうる。
【００５１】
[0060]  図９Ａおよび図９Ｂに示されるように、ＭＥＭＳバラクタ９００は、薄膜（a membrane）９１０の２つの端に位置したアンカー（anchor）９２２ａおよび９２２ｂを介して回路基板（a substrate）９２０に取り付けられた（attached）薄膜９１０を含む。薄膜９１０は、導電材料（例えば、アルミニウム）で形成されることができ、また、機械的薄膜（a mechanical membrane）、機械的電極（a mechanical electrode）、天板（top plate）等と称されることができる。回路基板９２０は、ガラス、シリコン、または何らかの他の材料でありうる。プルダウン（pull−down）電極９３０が、回路基板９２０上で、薄膜９１０の中心の下に形成される。絶縁層（insulation layer）９４０が、誘電体、または、電気絶縁性（electrical insulation）を提供することができる何らかの他の非導電材料で、電極９３０上に形成されうる。薄膜９１０は、ギャップ９５０によって、電極９３０から隔離されうる。
【００５２】
[0061]  ＭＥＭＳバラクタ９００は、以下のように動作する。固定直流（fixed direct current）（ＤＣ）電圧が、薄膜９１０に印加され（applied）うる。可変ＤＣ電圧が、電極９３０に印加されうる。電極９３０に印加された可変ＤＣ電圧と、薄膜９１０に印加された固定ＤＣ電圧との間の電圧差は、薄膜９１０を下に移動させる（move down）。大きな電圧差は、薄膜９１０をさらに下に移動させ、これはその後、ＭＥＭＳバラクタ９００のためにより大きなキャパシタンスをもたらすであろう。より小さい電圧差については、この逆が当てはまるであろう（the converse would be true）。例えば、薄膜９１０は、回路接地に結合されることができ、可変ＤＣ電圧は、電極９３０に印加されることができる。最小のキャパシタンスＣｍｉｎは、ゼロボルトが電極９３０に印可されることにより得られることができ、これは、薄膜９１０を電極９３０から最も遠く離れたそれの通常の位置に置く（rest）であろう。最大のキャパシタンスＣｍａｘは、十分な電圧が電極９３０に印可されることにより得られることができ、これは、薄膜９１０を電極９３０に向かって移動させ、絶縁層９４０上に置くであろう。
【００５３】
[0062]  図９Ａおよび図９Ｂは、アンテナ・チューニング・ネットワークまたはチューナブル・ノッチフィルタのために使用されうるＭＥＭＳバラクタの典型的な設計を示す。ＭＥＭＳバラクタはまた、他の方法でインプリメントされうる。
【００５４】
[0063]  アンテナ・チューニング・ネットワークは、様々な方法でチューニングされうる。典型的な設計では、アンテナ・チューニング・ネットワークは、測定値に基づいてチューニングされうる。例えば、受信信号強度インジケータ（ＲＳＳＩ：received signal strength indicator)は、アンテナ・チューニング・ネットワークの異なる可能な設定のために測定されうる。最大のＲＳＳＩをもたらす設定が、選択されうる。別の典型的な設計では、アンテナ・チューニング・ネットワークは、ルックアップテーブルに基づいてチューニングされうる。アンテナ・チューニング・ネットワークのパフォーマンスは、例えば、設計段階中や製造中等に、異なる可能な設定のために特徴づけられうる。ルックアップテーブルは、例えば、対象の各周波数のために、各オペレーション・シナリオについてのアンテナ・チューニング・ネットワークのための最良の設定を記憶するために定義されうる。その後、ルックアップテーブルは、特定のオペレーション・シナリオに使用するためのその設定を決定するためにアクセスされうる。アンテナ・チューニング・ネットワークはまた、他の方法でチューニングされうる。
【００５５】
[0064]  チューナブル・ノッチフィルタは、様々な方法でチューニングされうる。典型的な設計では、チューナブル・ノッチフィルタは、測定値に基づいてチューニングされうる。例えば、漏洩ＴＸ信号は、チューナブル・ノッチフィルタの異なる可能な設定のために、（例えば、ベースバンドにおいて）測定されうる。漏洩ＴＸ信号は、ノッチフィルタリングについての対象のシナリオにおける所望の信号よりもはるかに大きくなりうるため、ＲＸ信号の合計受信電力が測定されて、漏洩ＴＸ信号の電力の推定値として使用されうる。最小の漏洩ＴＸ信号をもたらす設定が選択されうる。別の典型的な設計では、チューナブル・ノッチフィルタは、ルックアップテーブルに基づいてチューニングされうる。チューナブル・ノッチフィルタのパフォーマンスは、例えば、設計段階中や製造中等に、異なる可能な設定のために特徴づけられうる。ルックアップテーブルは、例えば、対象の各周波数のために、各オペレーション・シナリオについてのチューナブル・ノッチフィルタのための最良の設定を記憶するために定義されうる。その後、ルックアップテーブルは、特定のオペレーション・シナリオに使用するためのその設定を決定するためにアクセスされうる。チューナブル・ノッチフィルタはまた、他の方法でチューニングされうる。
【００５６】
[0065]  チューナブル・マルチバンド受信機は、特定の周波数帯域上で動作することができ、それは、送信帯域および受信帯域に関連づけられることができる。チューナブル・マルチバンド受信機におけるアンテナ・チューニング・ネットワークは、受信帯域にアンテナをチューニングしうる。チューナブル・ノッチフィルタは、送信帯域にチューニングされることができ、送信帯域における漏洩ＴＸ信号を減衰させることができる。
【００５７】
[0066]  一般に、チューナブル・マルチバンド受信機は、任意の数の周波数帯域および任意の特定の周波数帯域を支援するように設計されうる。例えば、チューナブル・マルチバンド受信機は、表１にリストされた、１つまたは複数の周波数帯域を支援するように設計されうる。各周波数帯域は、ワイヤレスデバイスのための（アップリンク上でのデータ送信用の）送信帯域および（ダウンリンク上でのデータ受信用の）受信帯域を含みうる。各周波数帯域について、送信帯域は、特定の周波数オフセットによって、受信帯域から分離されることができ、これは、周波数帯域に依存しうる。例えば、ＵＭＴＳ帯域 Ｉの場合、送信帯域は、受信帯域よりも１９０ＭＨｚ低くなりうる。
【表１】
0006013462.tif 000002
【００５８】
[0067]  一般に、チューナブル・マルチバンド受信機は、プライマリ・アンテナ、ダイバーシチ・アンテナ、または何らかの他のアンテナのために使用されうる。チューナブル・マルチバンド受信機は、フロントエンドＲＦフィルタリングを低減または削除し、回路面積と費用を低減するために、ダイバーシチ・アンテナのために使用されうる。これは、特にスマートフォン、タブレット上等のデータ使用の急激な増加と共に、受信ダイバーシチの使用が増加したので、有益でありうる。これはまた、ワイヤレスデバイスが、受信ダイバーシチのために複数の周波数帯域を支援することを必要とされるので、有益でありうる。
【００５９】
[0068]  典型的な設計では、装置（例えば、ワイヤレスデバイス、ＩＣ等）は、例えば、図４Ａまたは図４Ｂに示されるように、アンテナ・チューニング・ネットワークと、チューナブル・ノッチフィルタと、少なくとも１つのＬＮＡとを備えるチューナブル・マルチバンド受信機を備えうる。アンテナ・チューニング・ネットワークは、複数の受信帯域における１つの受信帯域にアンテナをチューニングしうる。チューナブル・ノッチフィルタは、アンテナ・チューニング・ネットワークに動作可能に結合されることができ、また、その受信帯域に関連づけられた１つの送信帯域における信号成分を減衰させることができる。チューナブル・ノッチフィルタは、複数の送信帯域におけるその送信帯域にチューニングされることが可能であり、それは、複数の受信帯域に関連づけられることができる。少なくとも１つのＬＮＡは、チューナブル・ノッチフィルタに動作可能に結合され、チューナブル・ノッチフィルタからの出力信号を増幅しうる。
【００６０】
[0069]  典型的な設計では、少なくとも１つのＬＮＡは、例えば、図４Ａに示されるように、複数の受信帯域を支援する単一のＬＮＡを備えうる。この単一のＬＮＡは、チューナブル・ノッチフィルタに直接結合されうる。別の典型的な設計では、少なくとも１つのＬＮＡは、例えば、図４Ｂに示されるように、複数のＬＮＡを備えることができ、各ＬＮＡは、複数の受信帯域のうちの少なくとも１つを支援する。この典型的な設計では、この装置は、第１のスイッチマトリクスと第２のスイッチマトリクスをさらに備えうる。第１のスイッチマトリクスは、チューナブル・ノッチフィルタと複数のＬＮＡとに動作可能に結合され、チューナブル・ノッチフィルタからの出力信号を複数のＬＮＡの中から選択されたＬＮＡにルーティングしうる。第２のスイッチマトリクスは、複数のＬＮＡに動作可能に結合され、選択されたＬＮＡからの増幅された信号を供給しうる。
【００６１】
[0070]  典型的な設計では、アンテナ・チューニング・ネットワークは、例えば、図５に示されるような、少なくとも１つの可変キャパシタに結合されたインダクタを備えうる。このインダクタは、アンテナ・チューニング・ネットワークの入力と出力との間に結合されうる。各可変キャパシタは、アンテナ・チューニング・ネットワークの入力または出力に結合されうる。
【００６２】
[0071]  典型的な設計では、チューナブル・ノッチフィルタは、例えば、図６Ａに示されるように、ブリッジ−Ｔトポロジで結合されたインダクタおよび複数のキャパシタを備えうる。このインダクタは、チューナブル・ノッチフィルタの入力と出力との間に結合されうる。複数のキャパシタは、少なくとも１つの可変キャパシタを備えることができ、チューナブル・ノッチフィルタの入力と出力との間に直列に結合されることができる。典型的な設計では、複数のキャパシタは、例えば、図６Ａに示されるように、直列に結合された２つの可変キャパシタを備えうる。チューナブル・ノッチフィルタは、この２つの可変キャパシタと回路接地とに結合された抵抗器をさらに備えうる。
【００６３】
[0072]  別の典型的な設計では、チューナブル・ノッチフィルタは、例えば、図６Ｂに示されるような、直列ＬＣトポロジで結合されたインダクタと可変キャパシタを備えうる。このインダクタは、チューナブル・ノッチフィルタの入力と出力との間に結合されうる。この可変キャパシタは、そのインダクタと並列に結合されうる。なお別の典型的な設計では、チューナブル・ノッチフィルタは、例えば、図６Ｃに示されるように、シャントＬＣトポロジで結合されたインダクタおよび可変キャパシタを備えうる。このインダクタおよび可変キャパシタは、直列に結合され、かつチューナブル・ノッチフィルタの入力と出力に結合されうる。
【００６４】
[0073]  典型的な設計では、装置は、少なくとも１つのＬＮＡに動作可能に結合された第２のチューナブル・ノッチフィルタをさらに備え、送信帯域における信号成分をさらに減衰させうる。チューナブル・ノッチフィルタは、第１の回路トポロジ（例えば、ブリッジ−Ｔトポロジまたは何らかの他の回路トポロジ）でインプリメントされうる。第２のチューナブル・ノッチフィルタは、第２の回路トポロジ（例えば、直列ＬＣトポロジ、シャントＬＣトポロジ、または何らかの他の回路トポロジ）でインプリメントされ、これは、第１の回路トポロジと異なりうる。典型的な設計では、第２のチューナブル・ノッチフィルタは、例えば、図８に示されるように、ＬＮＡの一部でありうる。この装置は、例えば、図８に示されるように、送信帯域における信号成分をさらに減衰させるために、１つまたは複数の追加のチューナブル・ノッチフィルタをさらに備えうる。
【００６５】
[0074]  典型的な設計では、装置は、複数のアンテナを備えることができ、これは、例えば、図３に示されるように、プライマリ・アンテナおよびダイバーシチ・アンテナを含むことができる。チューナブル・マルチバンド受信機は、ダイバーシチ・アンテナまたはプライマリ・アンテナに結合されうる。
【００６６】
[0075]  図１０は、ワイヤレスデバイスによって、ＲＸ信号を受信および処理するためのプロセス１０００の典型的な設計を示す。アンテナは、アンテナ・チューニング・ネットワークを用いて、複数の受信帯域における１つの受信帯域にチューニングされうる（ブロック１０１２）。チューナブル・ノッチフィルタは、複数の受信帯域に関連づけられた複数の送信帯域における１つの送信帯域にチューニングされうる（ブロック１０１４）。アンテナ・チューニング・ネットワークからの受信された信号は、その送信帯域における信号成分を減衰させるために、チューナブル・ノッチフィルタでフィルタされうる（ブロック１０１６）。チューナブル・ノッチフィルタからの出力信号は、ＬＮＡで増幅されうる（ブロック１０１８）。
【００６７】
[0076]  典型的な設計では、ＬＮＡは、複数の受信帯域を支援することができ、例えば、図４Ａに示されるように、チューナブル・ノッチフィルタに直接結合されることができる。別の典型的な設計では、ＬＮＡは、例えば、図４Ｂに示されるような、複数の受信帯域を支援する複数のＬＮＡのうちの１つでありうる。この典型的な設計では、例えば、図４Ｂに示されるように、チューナブル・ノッチフィルタからの出力信号は、第１のスイッチマトリクスを介してＬＮＡにルーティングされることができ、また、ＬＮＡからの増幅された信号は、第２のスイッチマトリクスを介して供給されることができる。
【００６８】
[0077]  典型的な設計では、送信帯域における信号成分は、１つまたは複数の追加のチューナブル・ノッチフィルタでさらに減衰されうる。チューナブル・ノッチフィルタおよび（複数を含む）追加のチューナブル・ノッチフィルタは、（例えば、図６Ａ〜図６Ｄに示されるような）様々な方法でインプリメントされることができ、また、（例えば、図４Ａ、図４Ｂおよび図８に示されるような）様々な方法で結合されることができる。
【００６９】
[0078]  ここで説明されたチューナブル・マルチバンド受信機は、ＩＣ、アナログＩＣ、ＲＦＩＣ、混合信号ＩＣ、ＡＳＩＣ、プリント基板（ＰＣＢ）、電子デバイス等の上でインプリメントされうる。チューナブル・マルチバンド受信機はまた、相補型金属酸化膜半導体（ＣＭＯＳ）、ＮＭＯＳ、ＰＭＯＳ、ＢＪＴ、バイポーラＣＭＯＳ（ＢｉＣＭＯＳ）、シリコンゲルマニウム（ＳｉＧｅ）、ガリウムヒ素（ＧａＡｓ）、ヘテロ接合バイポーラトランジスタ（ＨＢＴ）、高電子移動度トランジスタ（ＨＥＭＴ）、シリコン・オン・インシュレータ（ＳＯＩ：silicon-on-insulator）等のような、様々なＩＣプロセス技術を用いて製造されうる。
【００７０】
[0079]  ここで説明されたチューナブル・マルチバンド受信機をインプリメントする装置は、独立型（stand−alone）デバイス、または、より大きなデバイスの一部でありうる。デバイスは、（ｉ）独立型ＩＣ、（ｉｉ）データおよび／または命令を記憶するためのメモリＩＣを含みうる１つまたは複数のＩＣのセット、（ｉｉｉ）ＲＦ受信機（ＲＦＲ）またはＲＦ送信機／受信機（ＲＴＲ）のようなＲＦＩＣ、（ｉｖ）移動局モデム（ＭＳＭ）のようなＡＳＩＣ、（ｖ）その他のデバイス内に埋め込まれうるモジュール、（ｖｉ）受信機、セルラ電話、ワイヤレスデバイス、ハンドセット、またはモバイル・ユニット、（ｖｉｉ）その他でありうる。
【００７１】
[0080]  １つまたは複数の典型的な設計では、説明された機能は、ハードウェア、ソフトウェア、ファームウェア、またはこれらの任意の組合せでインプリメントされうる。ソフトウェアでインプリメントされる場合、これら機能は、コンピュータ読取可能な媒体上で、１つまたは複数の命令またはコードとして、記憶または送信されうる。コンピュータ読取可能な媒体は、ある場所から別の場所へのコンピュータ・プログラムの転送を容易にする任意の媒体を含む通信媒体と、コンピュータ記憶媒体との両方を含む。記憶媒体は、コンピュータによってアクセスされることができる任意の利用可能な媒体でありうる。限定ではなく例として、このようなコンピュータ読取可能な媒体は、ＲＡＭ、ＲＯＭ、ＥＥＰＲＯＭ、ＣＤ−ＲＯＭまたは他の光ディスク記憶装置、磁気ディスク記憶装置またはその他の磁気記憶デバイス、あるいは、データ構造または命令の形式で所望のプログラムコードを記憶または搬送するために使用可能であり、かつコンピュータによってアクセスされることができるその他任意の媒体を備えうる。また、任意の接続は、コンピュータ読取可能な媒体と適切に称される。例えば、ソフトウェアが、同軸ケーブル、光ファイバーケーブル、ツイストペア、デジタル加入者回線（ＤＳＬ）、または赤外線、電波、およびマイクロ波のような無線技術を使用して、ウェブサイト、サーバ、またはその他の遠隔ソースから送信される場合には、この同軸ケーブル、光ファイバーケーブル、ツイストペア、ＤＳＬ、または赤外線、電波（radio）、およびマイクロ波のような無線技術は、媒体の定義に含まれる。こここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイ（登録商標）ディスクを含み、ここでディスク（disks）は、通常磁気的にデータを再生し、一方ディスク（discs）は、レーザーで光学的にデータを再生する。上記の組み合わせもまた、コンピュータ読取可能な媒体の範囲内に含まれるべきである。
【００７２】
[0081]  本開示の上記説明は、いかなる当業者であっても、本開示の製造または使用を可能にするように提供される。本開示への様々な修正は、当業者にとって容易に明らかであり、ここに定義された一般的な原理は、本開示の範囲から逸脱することなく、他のバリエーションにも適用されうる。したがって、本開示は、ここに説明された例および設計に限定されるようには意図されず、ここに開示される原理および新規な特徴と一致する最も広い範囲を与えられることとなる。
なお、本願の出願当初の請求項と同一の記載を以下に付記する。
［Ｃ１］ 複数の受信帯域における１つの受信帯域にアンテナをチューニングするように構成されたアンテナ・チューニング・ネットワークと、
前記アンテナ・チューニング・ネットワークに動作可能に結合され、かつ１つの送信帯域における信号成分を減衰させるように構成されたチューナブル・ノッチフィルタと、
前記チューナブル・ノッチフィルタに動作可能に結合され、かつ前記チューナブル・ノッチフィルタからの出力信号を増幅するように構成された少なくとも１つの低雑音増幅器（ＬＮＡ）と
を備える装置。
［Ｃ２］ 前記少なくとも１つのＬＮＡは、前記複数の受信帯域を支援する単一のＬＮＡを備える、Ｃ１に記載の装置。
［Ｃ３］ 前記少なくとも１つのＬＮＡは、所定の周波数より上の高い周波数帯域のための第１のＬＮＡおよび前記所定の周波数より下の低い周波数帯域のための第２のＬＮＡを備える、Ｃ１に記載の装置。
［Ｃ４］ 前記少なくとも１つのＬＮＡは、複数のＬＮＡを備え、各ＬＮＡは、前記複数の受信帯域のうちの少なくとも１つを支援する、Ｃ１に記載の装置。
［Ｃ５］ 前記チューナブル・ノッチフィルタと前記複数のＬＮＡとに動作可能に結合され、かつ前記チューナブル・ノッチフィルタからの前記出力信号を前記複数のＬＮＡの中から選択されたＬＮＡにルーティングするように構成された第１のスイッチマトリクスと、
前記複数のＬＮＡに動作可能に結合され、かつ前記選択されたＬＮＡからの増幅された信号を供給するように構成された第２のスイッチマトリクスと
をさらに備える、Ｃ４に記載の装置。
［Ｃ６］ 前記チューナブル・ノッチフィルタは、前記複数の受信帯域に関連づけられた複数の送信帯域のうちの１つにチューニングすることが可能である、Ｃ１に記載の装置。
［Ｃ７］ 前記アンテナ・チューニング・ネットワークは、
前記アンテナ・チューニング・ネットワークの入力と出力との間に結合されたインダクタと、
前記インダクタに結合された少なくとも１つの可変キャパシタと
を備え、
各可変キャパシタは、前記アンテナ・チューニング・ネットワークの前記入力または前記出力に結合されている、Ｃ１に記載の装置。
［Ｃ８］ 前記チューナブル・ノッチフィルタは、
前記チューナブル・ノッチフィルタの入力と出力との間に結合されたインダクタと、
前記チューナブル・ノッチフィルタの前記入力と前記出力との間に直列に結合された複数のキャパシタと
を備え、
前記複数のキャパシタは、少なくとも１つの可変キャパシタを備える、Ｃ１に記載の装置。
［Ｃ９］ 前記複数のキャパシタは、直列に結合された２つの可変キャパシタを備え、
前記チューナブル・ノッチフィルタは、前記２つの可変キャパシタと回路接地とに結合された抵抗器をさらに備える、Ｃ８に記載の装置。
［Ｃ１０］ 前記チューナブル・ノッチフィルタは、
前記チューナブル・ノッチフィルタの入力と出力とに結合されたインダクタと、
前記インダクタと並列に結合された可変キャパシタと
を備える、Ｃ１に記載の装置。
［Ｃ１１］ 前記チューナブル・ノッチフィルタは、
前記チューナブル・ノッチフィルタの入力と出力とに結合され、かつ直列に結合された可変キャパシタおよびインダクタ
を備える、Ｃ１に記載の装置。
［Ｃ１２］ 前記少なくとも１つのＬＮＡに動作可能に結合され、かつ前記送信帯域における前記信号成分をさらに減衰させるように構成された第２のチューナブル・ノッチフィルタ
をさらに備える、Ｃ１に記載の装置。
［Ｃ１３］ 前記チューナブル・ノッチフィルタは、第１の回路トポロジでインプリメントされ、前記第２のチューナブル・ノッチフィルタは、前記第１の回路トポロジとは異なる第２の回路トポロジでインプリメントされる、Ｃ１２に記載の装置。
［Ｃ１４］ 前記第２のチューナブル・ノッチフィルタは、前記少なくとも１つのＬＮＡの中からのＬＮＡの一部である、Ｃ１２に記載の装置。
［Ｃ１５］ 前記送信帯域における前記信号成分をさらに減衰させるように構成された少なくとも１つの追加のチューナブル・ノッチフィルタ
をさらに備える、Ｃ１２に記載の装置。
［Ｃ１６］ プライマリ・アンテナとダイバーシチ・アンテナとを含む複数のアンテナをさらに備え、前記アンテナは、前記ダイバーシチ・アンテナに対応する、Ｃ１に記載の装置。
［Ｃ１７］ 前記装置は、集積回路を備える、Ｃ１に記載の装置。
［Ｃ１８］ アンテナ・チューニング・ネットワークを用いて、複数の受信帯域における１つの受信帯域にアンテナをチューニングすることと、
１つの送信帯域における信号成分を減衰させるために、チューナブル・ノッチフィルタを用いて、前記アンテナ・チューニング・ネットワークからの受信された信号をフィルタすることと、
低雑音増幅器（ＬＮＡ）を用いて、前記チューナブル・ノッチフィルタからの出力信号
を増幅することと
を備える方法。
［Ｃ１９］ 前記複数の受信帯域に関連づけられた複数の送信帯域における前記送信帯域に前記チューナブル・ノッチフィルタをチューニングすること
をさらに備える、Ｃ１８に記載の方法。
［Ｃ２０］ 前記少なくとも１つのＬＮＡは、複数のＬＮＡを備え、前記方法は、
第１のスイッチマトリクスを介して、前記チューナブル・ノッチフィルタからの前記出力信号を、前記複数のＬＮＡの中から選択されたＬＮＡにルーティングすることと、
第２のスイッチマトリクスを介して、前記選択されたＬＮＡからの増幅された信号を供給することと
をさらに備える、Ｃ１８に記載の方法。
［Ｃ２１］ 少なくとも１つの追加のチューナブル・ノッチフィルタを用いて、前記送信帯域における前記信号成分を減衰させること
をさらに備える、Ｃ１８に記載の方法。
［Ｃ２２］ 複数の受信帯域における１つの受信帯域にアンテナをチューニングするための手段と、
１つの送信帯域における信号成分を減衰させるために、前記アンテナをチューニングするための前記手段からの受信された信号をフィルタするための手段と、
前記フィルタするための手段からの出力信号を増幅するための手段と
を備える装置。
［Ｃ２３］ 前記複数の受信帯域に関連づけられた複数の送信帯域における前記送信帯域に前記フィルタするための手段をチューニングするための手段
をさらに備える、Ｃ２２に記載の装置。
［Ｃ２４］ 前記チューナブル・ノッチフィルタからの前記出力信号を、複数の増幅するための手段の中からの前記増幅するための手段にルーティングするための手段
をさらに備える、Ｃ２２に記載の装置。
［Ｃ２５］ 前記送信帯域における前記信号成分をさらに減衰させるための手段
をさらに備える、Ｃ１８に記載の方法。
【図１】
0006013462.tif 000003
【図２】
0006013462.tif 000004
【図３】
0006013462.tif 000005
【図４Ａ】
0006013462.tif 000006
【図４Ｂ】
0006013462.tif 000007
【図５】
0006013462.tif 000008
【図６Ａ】
0006013462.tif 000009
【図６Ｂ】
0006013462.tif 000010
【図６Ｃ】
0006013462.tif 000011
【図６Ｄ】
0006013462.tif 000012
【図７Ａ】
0006013462.tif 000013
【図７Ｂ】
0006013462.tif 000014
【図８】
0006013462.tif 000015
【図９Ａ】
0006013462.tif 000016
【図９Ｂ】
0006013462.tif 000017
【図１０】
0006013462.tif 000018